(57)【要約】【課題】像担持体上に残存する未転写現像剤を再利用することができると共に、安価でかつコンパクトな構造である液体現像装置およびこれを備えた画像形成装置を提供することである。【解決手段】上面に開口部を備えており、液体現像剤１１を収容した収容部２１と、この収容部２１の上部に設けられた送液路１３と、この送液路１３上に収容部２１から液体現像剤１１を供給するギアポンプ１２と、送液路１３から収容部２１へ液体現像剤１１を戻す回収口１５とを備え、送液路１３上の液体現像剤１１が開口部を介して搬送ロール３と接触するように構成され、さらに未転写現像剤の流入口４１と、送液路１３から戻った液体現像剤と未転写現像剤を撹拌混合するための撹拌羽根４２とが回収口１５の近くに設けられている液体現像剤容器２を備えた液体現像装置である。また、この液体現像装置を備えた画像形成装置である。【選択図】  図３
2004233762.tif 000002
【特許請求の範囲】
【請求項１】
表面に静電潜像が形成された像担持体に液体現像剤を供給して前記静電潜像を可視化する現像ロールと、この現像ロールへ液体現像剤を搬送する搬送ロールと、この搬送ロールに供給するための液体現像剤を収容した液体現像剤容器とを備えた液体現像装置において、
前記液体現像剤容器は、上面に開口部を備えており、液体現像剤を収容した収容部と、この収容部の上部に設けられた送液路と、この送液路上に前記収容部から液体現像剤を供給するポンプと、前記送液路から収容部へ液体現像剤を戻す回収口とを備え、前記送液路上の液体現像剤が前記開口部を介して前記搬送ロールと接触するように構成され、
さらに、前記液体現像剤容器には、未転写現像剤の流入口と、前記送液路から戻った液体現像剤と前記未転写現像剤を撹拌混合するための撹拌手段とが前記回収口の近くに設けられていることを特徴とする液体現像装置。
【請求項２】
前記液体現像剤容器が、液体現像装置に設けられたホルダーに着脱自在に保持されている請求項１記載の液体現像装置。
【請求項３】
前記ポンプが前記液体現像剤容器の一端側に配置され、前記流入口、前記回収口および前記撹拌手段が前記液体現像剤容器の他端側に配置されている請求項１または２記載の液体現像装置。
【請求項４】
前記ポンプがギアポンプである請求項１〜３のいずれかに記載の液体現像装置。
【請求項５】
前記撹拌手段は、前記液体現像剤容器内にその長手方向に沿って延設された前記ギアポンプを駆動するための回転軸により駆動する撹拌羽根である請求項４記載の液体現像装置。
【請求項６】
前記液体現像剤容器は、ホルダーへの装着状態で、上面開口部の両側部および両端部が前記搬送ロールに接触している請求項１〜５のいずれかに記載の液体現像装置。
【請求項７】
前記上面開口部の両側部のうち一方が、搬送ロールへの液体現像剤の付着量調節用ブレードである請求項１〜６のいずれかに記載の液体現像装置。
【請求項８】
前記液体現像剤容器は、収容部内の液体現像剤の残量を検知するための検知手段を備えている請求項１〜７のいずれかに記載の液体現像装置。
【請求項９】
表面に静電潜像が形成された像担持体と、この像担持体上に液体現像剤を供給するための請求項１〜８のいずれかに記載の液体現像装置とを備えた画像形成装置。
【発明の詳細な説明】
【０００１】
【発明の属する技術分野】
本発明は、液体現像剤を用いて静電潜像を可視化するための液体現像装置およびこれを備えた複写機、プリンター、ファクシミリ、これらの複合機などの画像形成装置に関する。
【０００２】
【従来の技術】
一般に、液体キャリアにトナーを含有する液体現像剤（所謂液体トナー）を用いて現像を行う現像装置（以下、液体現像装置という）は、微細なトナーを用いることでオフセット印刷並みの高画質が実現できるだけでなく、トナー量が少なくても十分な画像濃度が得られるので経済的であるという利点を有している。
【０００３】
しかし、このような液体現像装置は、現像剤が液体であるため、現像剤を装置に装填する際や装置の稼働中に現像剤が漏れて装置や作業者の手を汚してしまうという問題がある。このため、液体現像剤を容易に供給できる手段が必要とされていた。
【０００４】
また、特許文献１，２には、液体現像剤を使用した以下のような装置が開示されている。すなわち、特許文献１には、トナーとキャリアとを含む現像液を収容した現像液収容器と、この現像液収容器に収容されている現像液を用いて顕像を形成する顕像形成手段と、この顕像形成手段で形成した顕像を担持する像担持体などを備えた湿式液体現像装置が提案されている。この湿式液体現像装置では、感光体および中間転写ベルト上の残留現像液から分離装置によりキャリアを分離し、この分離されたキャリアをキャリアタンクへ戻すことによってキャリアを再利用することができるとされている。
【０００５】
特許文献２には、感光体ドラムの作像領域に対向するように形成されたスリット細溝から余剰な現像液を吸引する液吸引部材と、該液吸引部材により吸引した液（吸引液）を収容する吸引液タンクと、液吸引部材のスリット細溝と吸引液タンクとを接続し、該吸引液タンクに吸引液を回収する吸引パイプとを備えた液吸引装置を用いて、現像後の感光体ドラム上の余剰な現像液を吸引することができる湿式液体現像装置が提案されている。
【０００６】
しかしながら、特許文献１に記載の湿式液体現像装置は、現像液を収容する現像液収容器、リサイクルされるキャリアを貯蔵するためのキャリアタンク、新しいキャリアを補給するための補給タンクなどが必要であるため、装置のサイズが大きく複雑になっている。
【０００７】
特許文献２に記載の湿式液体現像装置は、現像剤を現像槽からポンプで汲み上げ、現像ローラに供給する構造を有しており、さらに感光体ドラム上の余剰な現像液を吸引する液吸引部材と、この液吸引部材により吸引した液を収容する吸引液タンクと、この吸引液タンクと液吸引部材とを接続し、吸引液タンクに吸引液を回収する吸引パイプとを備えている。しかしながら、このような構造は大型の装置に適したものであり、装置が高価なものとなるという欠点がある。
【０００８】
【特許文献１】
特開２０００−２１４６８７号公報
【特許文献２】
特開平１０−１７７３０４号公報
【０００９】
【発明が解決しようとする課題】
本発明の主たる目的は、像担持体上に残存する未転写現像剤を再利用することができると共に、安価でかつコンパクトな構造である液体現像装置およびこれを備えた画像形成装置を提供することである。
また、本発明の他の目的は、液体現像剤の装填が容易な液体現像装置およびこれを備えた画像形成装置を提供することである。
【００１０】
【課題を解決するための手段】
上記課題を解決するための本発明の液体現像装置は、以下の構成からなる。
（Ｉ）  表面に静電潜像が形成された像担持体（５）に液体現像剤（１１）を供給して前記静電潜像を可視化する現像ロール（４）と、この現像ロール（４）へ液体現像剤（１１）を搬送する搬送ロール（３）と、この搬送ロール（３）に供給するための液体現像剤（１１）を収容した液体現像剤容器（２）とを備え、前記液体現像剤容器（２）は、上面に開口部（２２）を備えており、液体現像剤（１１）を収容した収容部（２１）と、この収容部（２１）の上部に設けられた送液路（１３）と、この送液路（１３）上に前記収容部（２１）から液体現像剤（１１）を供給するポンプ（１２）と、前記送液路（１３）から収容部（２１）へ液体現像剤（１１）を戻す回収口（１５）とを備え、前記送液路（１３）上の液体現像剤（１１）が前記開口部（２２）を介して前記搬送ロール（３）と接触するように構成され、さらに、前記液体現像剤容器（２）には、未転写現像剤の流入口（４１）と、前記送液路（１３）から戻った液体現像剤と前記未転写現像剤を撹拌混合するための撹拌手段（４２）とが前記回収口（１５）の近くに設けられていることを特徴とする。（上記括弧内の数字は図面に記載の対応する部材を示しているが、当該部材は例示であり、これに限定されるものではない。以下、（ＩＩ）〜（ＶＩＩＩ）において同じ。）
【００１１】
上記のように、本発明の液体現像装置は、液体現像剤の装填手段が開口部を有した容器からなり、送液路上の液体現像剤が開口部を介して搬送ロールと接触するように構成されており、しかも像担持体上に残存する未転写現像剤を液体現像剤容器内に供給する流入口と、送液路から戻った液体現像剤とを撹拌混合する撹拌手段を備えている。これにより、未転写現像剤を収容部で液体現像剤と均一に混合して再利用することができると共に、上記のような簡単な構造であるので液体現像装置を安価に製造できかつ小型化することができる。
【００１２】
また、収容部の上部に設けられた送液路には液体現像剤がポンプにより供給されるので、液体現像剤を収容部と送液路の間で効率よく循環させることができる。
【００１３】
（ＩＩ）  前記液体現像剤容器（２）は液体現像装置（１００）に設けられたホルダー（２０）に着脱自在に保持されているのが好ましい。
【００１４】
これにより、液体現像剤容器を交換するだけの簡単な作業で液体現像剤を液体現像装置に装填することができる。
【００１５】
（ＩＩＩ）  前記ポンプ（１２）は前記液体現像剤容器（２）の一端側に配置され、前記流入口（４１）、前記回収口（１５）および前記撹拌手段（４２）は前記液体現像剤容器（２）の他端側に配置されていてもよい。
【００１６】
このようにポンプの配置場所と、流入口、回収口および撹拌手段の配置場所とが離れていることによって、撹拌混合された液体現像剤と未転写現像剤がポンプに到達するまでにより長い時間を要するので、その間に液体現像剤と未転写現像剤がより一層混ざり合ってより均一な組成になる。
【００１７】
（ＩＶ）  前記ポンプはギアポンプ（１２）であってもよい。
（Ｖ）  前記撹拌手段は、前記液体現像剤容器（２）内にその長手方向に沿って延設された前記ギアポンプ（１２）を駆動するための回転軸（４４）により駆動する撹拌羽根（４２）であってもよい。
【００１８】
このように、撹拌手段として撹拌羽根を用い、この撹拌羽根をギアポンプと同一の回転軸により駆動させることによって、液体現像装置の部品点数を削減し、より簡単な構造にすることができる。
【００１９】
（ＶＩ）  前記液体現像剤容器（２）は、ホルダー（２０）への装着状態で、上面開口部（２２）の両側部および両端部が前記搬送ロール（３）に接触しているのが好ましい。
【００２０】
これにより、容器の上面開口部が搬送ロールによって塞がれるので、装置の稼働中に液体現像剤が容器の外へ漏れて装置内が汚染されるのを防止することができる。
【００２１】
（ＶＩＩ）  前記上面開口部（２２）の両側部のうち一方が、搬送ロール（３）への液体現像剤（１１）の付着量調節用ブレード（１６）であるのが好ましい。
【００２２】
従来の液体現像装置では、搬送ロールにおける液体現像剤の付着量を調節するために、搬送ロールに当接するブレードが別途設置されている。このブレードは、装置の長期間の稼働により搬送ロールとの摩擦で摩耗し、液体現像剤付着量の調節機能が低下してしまう。このため、摩耗が進行する度に装置を分解してブレードを交換するという煩雑な作業が必要であった。一方、上記のように構成すると、ブレードの交換は容器の交換と同時になされるので、従来の煩雑なブレード交換作業が不要になると共に、小型化を図ることができる。
【００２３】
（ＶＩＩＩ）  前記液体現像剤容器（２）は、収容部（２１）内の液体現像剤（１１）の残量を検知するための検知手段（３１，３２，３３）を備えているのが好ましい。
【００２４】
このような検知手段を備えることで、容器の交換時期を的確にかつ容易に知ることができる。
【００２５】
また、本発明の画像形成装置は、表面に静電潜像が形成された像担持体と、この像担持体上に液体現像剤を供給するための上記（Ｉ）〜（ＶＩＩＩ）のいずれかに記載の液体現像装置とを備えているので、液体現像剤の装填が容易で、しかも安価で小型化が可能である。
【００２６】
【発明の実施の形態】
以下、本発明の液体現像装置およびこれを備えた画像形成装置について詳細に説明する。図１は、本発明の一実施形態にかかる液体現像装置１００およびこれを備えた画像形成装置１を示す概略図である。この画像形成装置１では、液体現像剤容器２に収容された液体現像剤が搬送ロール３に供給され、さらにこの搬送ロール３と互いに外周面が接するように配置されている現像ロール４に搬送される。一方、像担持体５上には帯電器（図示せず）および露光装置７により静電潜像が形成される。この像担持体５上に現像ロール４から液体現像剤を供給して静電潜像を可視化する。可視化されたトナー像は、中間転写ロール６に転写され、さらにこの転写像が用紙などの記録媒体（図示せず）に転写され、定着ローラ（図示せず）などにより記録媒体に定着される。
【００２７】
像担持体５には、中間転写ロール６に転写した後に残存するトナー像を除去するためのクリーニングロール８およびクリーニングブレード９が配置されている。中間転写ロール６には、記録媒体に転写した後に残存する転写像を除去するためのクリーニングロール１０およびクリーニングブレード２７が配置されている。また、液体現像剤容器２は液体現像装置１００に設けられたホルダー２０に着脱自在に保持されており、液体現像剤容器２、搬送ロール３および現像ロール４はケーシング２９内に収容されている。ホルダー２０は、図示しないストッパーで水平位置に保持されている。
【００２８】
搬送ロール３としては、例えば外周面が粗面加工されたアニロックスロールなどを使用することができる。アニロックスロールは、その外周面に機械またはレーザーにより菱形状、六角形状、斜線状などの凹みが彫刻されたものである。液体現像剤の搬送量は凹みの形状、深さ、線の間隔などにより調節される。
【００２９】
図２は液体現像剤容器２を示す斜視図であり、図３は液体現像剤容器２の内部構造および搬送ロール３の配置状態を示す概略図である。図２および図３に示すように、液体現像剤容器２は、上面に開口部２２が設けられており、液体現像剤１１を収容した収容部２１と、この収容部２１の上部に設けられた送液路１３と、この送液路１３上に収容部２１から液体現像剤１１を供給するために液体現像剤容器２の一端側に配置されたギアポンプ１２と、送液路１３から収容部２１へ液体現像剤１１を戻す回収口１５とを備え、さらに回収口１５の近くに未転写現像剤の流入口４１と、送液路１３から戻った液体現像剤と未転写現像剤を撹拌混合するための撹拌羽根（撹拌手段）４２とが設けられている。
【００３０】
流入口４１、撹拌羽根４２および回収口１５は、液体現像剤容器２の一端側に配置されたギアポンプ１２から離れた、液体現像剤容器２の他端側に配置されている。また、撹拌羽根４２の近くにはじゃま板４５が液体現像剤容器２の底面から立設されている。このじゃま板４５は、送液路１３から戻った液体現像剤と未転写現像剤が撹拌羽根４２付近で滞留する時間が長くなるようにして、撹拌効果を向上させるためのものである。搬送ロール３は、開口部２２を介して、送液路１３上を通過する液体現像剤１１と接触している。
【００３１】
流入口４１には未転写現像剤が送液されてくる配管４３が接続されている。中間転写ロール６に転写した後に像担持体５上に残存する液体現像剤（未転写現像剤）がクリーニングロール８およびクリーニングブレード９で除去され、配管４３を通じて流入口４１から液体現像剤容器２内に供給される。
【００３２】
上記のような構成であることにより、液体現像剤１１を収容部２１と送液路１３の間で効率よく循環させることができると共に、流入口４１からの未転写現像剤と回収口１５からの液体現像剤とを撹拌羽根４２により撹拌混合して収容部２１内の液体現像剤１１の組成を均一なものとし、未転写現像剤を再利用することができる。
【００３３】
図４は、図３中に記載されているギアポンプ１２のＡ−Ａ線断面図である。ギアポンプ１２は２つの歯合するギア１２ａ，１２ａが送液路１３と一体に形成されたケーシング１２ｂで覆われたものである。ケーシング１２ｂの下部に形成された吸い込み口１２ｃから入った液体現像剤１１は、ギア１２ａ，１２ａとケーシング１２ｂとの隙間を通って送液路１３へ送られる。吸い込み口１２ｃは収容部２１の底部近くに配置されている。したがって、液体現像剤１１の増減に関係なく送液路１３へ一定量の液体現像剤１１を給送でき、搬送ロール３への均一な接触を確保することができるので、現像ロール４への均一な搬送量を維持することができる。
【００３４】
ギアポンプ１２は、一方のギア１２ａの中心を通る回転軸４４の回転により駆動する。この回転軸４４は液体現像剤容器２の他端側（流入口４１が設けられている側）の端面を貫通するように配置されており、回転軸４４の先端には凸状のジョイント２３が取り付けられている。このジョイント２３は、図示しないモータに備えられた凹状のジョイント２４に嵌着し連結される。これにより、モータが回転するとギアポンプ１２が駆動するようになる。
【００３５】
回転軸４４には撹拌羽根４２も取り付けられている。このように、ギアポンプ１２と撹拌羽根４２を同一の回転軸により駆動させることによって、部品点数を削減し、より簡単な構造にすることができる。
【００３６】
また、液体現像剤容器２の開口部２２の両側部および両端部は、ブレード１６、シール部１７およびシール部１４，１４で形成されており、これらの上端縁部が搬送ロール３に接触している。
【００３７】
ブレード１６は液体現像剤容器２の一方の側面から延設されて開口部２２の一部を形成している。ブレード１６の上端縁部は、搬送ロール３の外周面における液体現像剤１１の付着量を調節するために、搬送ロール３の外周面に当接している。シール部１７は液体現像剤容器２の他方の側面から延設されて開口部２２の一部を形成している。シール部１４，１４は、液体現像剤容器２と搬送ロール３との間のシール性を向上させるために、その上面が搬送ロール３の外周面の曲率半径と同程度の曲率半径となるように湾曲した凹状に形成されている。
【００３８】
ホルダー２０と液体現像剤容器２の下面との間にはスプリング１９が配置されているので、液体現像剤容器２が搬送ロール３側に持ち上げられ、ブレード１６、シール部１７およびシール部１４，１４と搬送ロール３との接触状態が維持され、シール性が向上するようになっている。これにより、液体現像剤１１が液体現像装置１内に漏れ出すのを防止している。
【００３９】
図５は、ホルダー２０への液体現像剤容器２の取り付け状態および取り外し方法を示す概略図である。同図に示すように、液体現像剤容器２を交換する際には、ホルダー２０を保持しているストッパーを外し、軸２６を中心にしてホルダー２０を下方に回動させて液体現像剤容器２と搬送ロール３との接触状態を解除した後、取手１８を持って液体現像剤容器２をケーシング２９の外部へ引き出す。これにより、ジョイント２３とジョイント２４の連結および流入口４１と配管４３の連結が解除され、液体現像剤容器２を液体現像装置１から取り出すことができる。ついで、液体現像剤１１が充填された別の液体現像剤容器２をホルダー２０上へ配置し、ジョイント２３とジョイント２４、および流入口４１と配管４３を連結する。ついで、ホルダー２０を上方に回動させることによりブレード１６、シール部１７およびシール部１４，１４を搬送ロール３と接触させた所定の位置に液体現像剤容器２を装着し、ストッパーによりホルダー２０を水平位置に保持する。
【００４０】
図６は、液体現像剤容器２内に液体現像剤１１の残量を検知するための検知手段を設けた状態を示す一部破断斜視図である。この検知手段は、例えば発光ダイオード（ＬＥＤ）などの光を発する部材を備えた発光部３１と、液体現像剤１１に浮かべられた反射部材３２と、この反射部材３２で反射した光を受光する受光部３３とからなる。
【００４１】
反射部材３２は、液体現像剤１１の液面上に浮いた水平面材と、この水平面材と一体に形成された垂直面材とからなる断面がＬ字型の部材である。水平面材には、液体現像剤容器２の下面から立設された棒状の支持具３４，３４を挿通するための挿通孔３５，３５が設けられ、垂直面材には発光部３１からの光を反射するための反射面が設けられている。発光部３１からの光および反射光の光路に相当する容器２の側面の一部には、光が透過する透明ないし半透明の窓（図示せず）が形成されている。これにより、液体現像剤１１の減少に伴う液面の低下により反射部材３２の高さが所定の位置まで低下したときに、発光部３１からの光を反射部材３２が反射するまたは反射しなくなるのを受光部３３で検知できるように発光部３１の光路を調節することによって、液体現像剤容器２の交換時期を的確にかつ容易に知ることができる。
【００４２】
なお、本発明において、液体現像剤容器の材質は、特に限定されるものではないが、構成部材の全てがプラスチック製であるのが好ましい。これにより、材料コストを低減でき、しかも廃棄処理が容易になる。
【００４３】
また、上記実施形態では、ギアポンプが液体現像剤容器の一端側に配置され、流入口、回収口および撹拌手段が液体現像剤容器の他端側に配置されている場合を例に挙げて説明したが、ポンプの配置箇所、並びに流入口、回収口および撹拌手段の配置場所は上記実施形態に限定されるものではない。また、ポンプを２個以上配置することもできる。ポンプは、ギアポンプに限定されるものではなく、液体現像剤を収容部から送液路へ供給できるものであればいずれも使用可能である。
【００４４】
【発明の効果】
本発明によれば、液体現像剤の供給手段が開口部を有した容器からなり、送液路上の液体現像剤が開口部を介して搬送ロールと接触するように構成されており、しかも像担持体上に残存する未転写現像剤を液体現像剤容器内に供給する流入口と、送液路から戻った液体現像剤とを撹拌混合する撹拌手段を備えているので、未転写現像剤を収容部で液体現像剤と均一に混合して再利用することができると共に、上記のような簡単な構造であるので液体現像装置を安価に製造できかつ小型化することができるという効果がある。
【００４５】
また、液体現像剤容器が液体現像装置に設けられたホルダーに着脱自在に保持されている場合には（請求項２）、液体現像剤容器を交換するだけの簡単な作業で液体現像剤を液体現像装置に装填することができるので、現像剤が漏れて装置や作業者の手が汚れるのを防止すことができるという効果がある。
【００４６】
ポンプが液体現像剤容器の一端側に配置され、流入口、回収口および撹拌手段が液体現像剤容器の他端側に配置されている場合には（請求項３）、撹拌混合された液体現像剤と未転写現像剤がポンプに到達するまでにより長い時間を要するので、その間に液体現像剤と未転写現像剤がより一層混ざり合ってより均一な組成になるという効果がある。
【００４７】
撹拌手段が、液体現像剤容器内にその長手方向に沿って延設されたギアポンプを駆動するための回転軸により駆動する撹拌羽根である場合には（請求項５）、液体現像装置の部品点数を削減し、より簡単な構造にすることができるという効果がある。
【００４８】
液体現像剤容器をホルダーへ装着した状態で、上面開口部の両側部および両端部が搬送ロールに接触している場合は（請求項６）、容器の上面開口部が搬送ロールによって塞がれるので、容器と搬送ロールとの間のシール性が向上し、装置の稼働中に液体現像剤が容器の外へ漏れて装置内が汚染されるのを防止することができるという効果がある。
【００４９】
上面開口部の両側部のうち一方が搬送ロールへの液体現像剤の付着量調節用ブレードである場合は（請求項７）、ブレードの交換は容器の交換と同時になされるので、従来の煩雑なブレード交換作業が不要になると共に、小型化を図ることができるという効果がある。
【００５０】
収容部内の液体現像剤の残量を検知するための検知手段を備えている場合は（請求項８）、容器の交換を適切に行うことができるという効果がある。
【図面の簡単な説明】
【図１】本発明の一実施形態にかかる液体現像装置およびこれを備えた画像形成装置を示す概略図である。
【図２】液体現像装置に使用する液体現像剤容器を示す斜視図である。
【図３】液体現像剤容器の内部構造および搬送ロールの配置状態を示す概略図である。
【図４】図３中に記載されているギアポンプのＡ−Ａ線断面図である。
【図５】ホルダーへの液体現像剤容器の取り付け状態および取り外し方法を示す概略図である。
【図６】液体現像剤容器内に液体現像剤の残量を検知するための検知手段を設けた状態を示す一部破断斜視図である。
【符号の説明】
１・・・画像形成装置、２・・・液体現像剤容器、３・・・搬送ロール、４・・・現像ロール、５・・・像担持体、６・・・中間転写ロール、７・・・露光装置、１１・・・液体現像剤、１２・・・ギアポンプ、１３・・・送液路、１４・・・シール部、１５・・・回収口、１６・・・ブレード、１７・・・シール部、１８・・・取手、１９・・・スプリング、２０・・・ホルダー、２１・・・収容部、２２・・・開口部、２３・・・ジョイント、２４・・・ジョイント、２６・・・軸、２７・・・クリーニングブレード、２９・・・ケーシング、３１・・・発光部、３２・・・反射部材、３３・・・受光部、３４・・・支持具、３５・・・挿通孔、４１・・・流入口、４２・・・撹拌羽根（撹拌手段）、４３・・・配管、４４・・・回転軸、４５・・・じゃま板、１００・・・液体現像装置
【図１】
2004233762.tif 000003
【図２】
2004233762.tif 000004
【図３】
2004233762.tif 000005
【図４】
2004233762.tif 000006
【図５】
2004233762.tif 000007
【図６】
2004233762.tif 000008